(57)【要約】【課題】証券発行作業に対するオペレータの負担を軽減し、証券発行を効率的に行うことができるようにする。【解決手段】ホストコンピュータ１０は、証券発行装置３０に印刷中の券面イメージの読み取りを指示し、証券発行装置３０から券面イメージデータが入力されると、ＯＣＲ文字部分から識別コードを認識し、認識した識別コードと、イメージコントロールファイル１７２に設定されている識別コード１７２ｇとを比較して同一か否かを判別する。同一である場合は、用紙セットは正常であると判断して印刷処理の継続を証券発行装置３０に指示し、同一でない場合は、用紙セットは異常であると判断して印刷処理の停止及び処理済みの券面の廃棄を指示する。次いで、用紙セットのエラーメッセージを表示装置１２に表示してオペレータに報知する。【選択図】　　　　　図１
2004094874.tif 000002
【特許請求の範囲】
【請求項１】
用紙種類に固有の識別情報を証券用紙に予め設けておき、印刷手段にセットされた証券用紙に券面要件を印刷して証券を発行する証券発行装置であって、
券面要件を印刷する証券用紙の用紙種類を指定する識別情報を設定する設定手段と、
券面要件を証券用紙に印刷した際に、前記印刷手段にセットされた証券用紙に設けられた識別情報を読み取る読取手段と、
前記読取手段により読み取られた識別情報と、前記設定手段により設定された識別情報とを比較し、前記印刷手段にセットされた証券用紙の用紙種類が、指定された用紙種類と一致するか否かを判別する判別手段と、
前記印刷手段にセットされた証券用紙の用紙種類が、指定された用紙種類と一致しないと前記判別手段により判別された場合、報知手段により用紙セットエラーを報知させる制御手段と、
を備えることを特徴とする証券発行装置。
【請求項２】
前記制御手段は、前記印刷手段にセットされた証券用紙の用紙種類が、指定された用紙種類と一致しないと前記判別手段により判別された場合、前記印刷手段を制御して印刷を停止させることを特徴とする請求項１に記載の証券発行装置。
【請求項３】
前記印刷手段により券面要件を印刷された証券用紙に後処理を施す後処理手段を備え、
前記制御手段は、前記印刷手段にセットされた証券用紙の用紙種類が、指定された用紙種類と一致しないと前記判別手段により判別された場合、前記後処理手段を制御して後処理を停止させることを特徴とする請求項１又は２に記載の証券発行装置。
【請求項４】
前記読取手段は、証券用紙に設けられた識別情報をイメージ読み取りすることを特徴とする請求項１〜３の何れか１項に記載の証券発行装置。
【請求項５】
用紙種類に固有の識別情報を証券用紙に予め設けておき、印刷手段にセットされた証券用紙に発行データに基づいて券面要件を印刷して証券を発行する証券発行装置であって、
券面要件を印刷する証券用紙の用紙種類を指定する識別情報を設定する設定手段と、
券面要件を証券用紙に印刷する際に、前記印刷手段にセットされた証券用紙に設けられた識別情報をイメージ読み取りする読取手段と、
前記読取手段により読み取られた識別情報と、前記設定手段により設定された識別情報とを比較し、前記印刷手段にセットされた証券用紙の用紙種類が、指定された用紙種類と一致するか否かを判別する判別手段と、
前記印刷手段にセットされた証券用紙の用紙種類が、指定された用紙種類と一致すると前記判別手段により判別された場合、前記印刷手段にセットされた証券用紙に発行データに基づいて券面要件を印刷させる制御手段と、
を備えることを特徴とする証券発行装置。
【請求項６】
前記制御手段は、前記印刷手段にセットされた証券用紙の用紙種類が、指定された用紙種類と一致しないと前記判別手段により判別された場合、前記印刷手段による印刷を行わせず、報知手段により用紙セットエラーを報知させることを特徴とする請求項５に記載の証券発行装置。
【請求項７】
前記制御手段は、前記印刷手段にセットされた証券用紙の用紙種類が、指定された用紙種類と一致しないと前記判別手段により判別された場合、前記読取手段により読み取られた識別情報に対応する発行データを検索し、検索された発行データに基づいて前記印刷手段にセットされた証券用紙に券面要件を印刷させることを特徴とする請求項５又は６に記載の証券発行装置。
【発明の詳細な説明】
【０００１】
【発明の属する技術分野】
本発明は、証券を発行する証券発行装置に関する。
【０００２】
【従来の技術】
従来、手形や小切手等の証券を発行する証券発行システムが開発されている。この証券発行システムは、証券発行動作を制御するコンピュータシステムやプリンタから構成され、プリンタにセットされた証券用紙に券面要件を印刷するものである（例えば、特許文献１参照）。
【０００３】
この証券には、例えば一般小切手、約束手形、為替手形等、多数の券種が存在し、その券種によって券面に印刷する要件が異なるとともに、発行元の金融機関によっては券種毎に証券用紙のサイズや種類を変える場合もあるため、上記証券発行システムでは多数の用紙種類の証券用紙が準備されて管理されている。従来、証券を発行する際にはその都度、オペレータが発行元の金融機関及び券種に応じた証券用紙を証券発行装置にセットして証券の発行作業を行っていた。
【０００４】
【特許文献１】
特開平１０−２７８３９４号公報（第５−８頁、第１−２図）
【０００５】
【発明が解決しようとする課題】
そのため、オペレータは正しい用紙種類の証券用紙を確実にセットすることが要求されることとなり、証券発行作業に対するオペレータの負担は大きい。もし、誤った用紙種類の証券用紙をセットしてしまった場合は、その証券用紙で発行した誤証券を無効とし、正しい証券用紙での再発行を行わなければならないため、時間を無駄にするとともに再発行に対するオペレータの負担はさらに大きいものとなる。また、証券用の証券用紙は一般用紙と比べて高価であるため、コスト高を招くこととなってしまう。
【０００６】
最近では、金融機関の統廃合や証券発行システム自体のコスト削減、効率運用を目的として、複数の金融機関が共同で証券発行することが行われている。この場合、複数の金融機関毎の、複数の券種に応じた証券用紙を管理することとなり、その運用はさらに複雑となるとともにオペレータの負担は大きくなる一方である。
【０００７】
本発明の課題は、証券発行作業に対するオペレータの負担を軽減し、証券発行を効率的に行うことができるようにすることである。
【０００８】
【課題を解決するための手段】
請求項１に記載の発明は、
用紙種類に固有の識別情報を証券用紙に予め設けておき、印刷手段にセットされた証券用紙に券面要件を印刷して証券を発行する証券発行装置であって、券面要件を印刷する証券用紙の用紙種類を指定する識別情報を設定する設定手段と、券面要件を証券用紙に印刷した際に、前記印刷手段にセットされた証券用紙に設けられた識別情報を読み取る読取手段と、前記読取手段により読み取られた識別情報と、前記設定手段により設定された識別情報とを比較し、前記印刷手段にセットされた証券用紙の用紙種類が、指定された用紙種類と一致するか否かを判別する判別手段と、前記印刷手段にセットされた証券用紙の用紙種類が、指定された用紙種類と一致しないと前記判別手段により判別された場合、報知手段により用紙セットエラーを報知させる制御手段と、を備えることを特徴としている。
【０００９】
この請求項１に記載の発明によれば、券面要件を証券用紙に印刷した際に、証券用紙から読み取った識別情報と、設定された識別情報とを比較して、セットされた証券用紙の用紙種類が指定された用紙種類か否かを判別し、指定された用紙種類ではないと判別された場合は、用紙セットエラーを報知するので、証券用紙の正誤を自動的に判別して証券発行作業に対するオペレータの負担を軽減することができ、証券発行を効率的に実行することが可能となる。
【００１０】
請求項５に記載の発明は、
用紙種類に固有の識別情報を証券用紙に予め設けておき、印刷手段にセットされた証券用紙に発行データに基づいて券面要件を印刷して証券を発行する証券発行装置であって、券面要件を印刷する証券用紙の用紙種類を指定する識別情報を設定する設定手段と、券面要件を証券用紙に印刷する際に、前記印刷手段にセットされた証券用紙に設けられた識別情報をイメージ読み取りする読取手段と、前記読取手段により読み取られた識別情報と、前記設定手段により設定された識別情報とを比較し、前記印刷手段にセットされた証券用紙の用紙種類が、指定された用紙種類と一致するか否かを判別する判別手段と、前記印刷手段にセットされた証券用紙の用紙種類が、指定された用紙種類と一致すると前記判別手段により判別された場合、前記印刷手段にセットされた証券用紙に発行データに基づいて券面要件を印刷させる制御手段と、を備えることを特徴としている。
【００１１】
この請求項５に記載の発明によれば、券面要件を証券用紙に印刷する際に、証券用紙から読み取った識別情報と、設定された識別情報とを比較し、セットされた証券用紙の用紙種類が指定された用紙種類か否かを判別し、指定された用紙種類であると判別された場合は印刷を行わせるので、証券用紙の正誤を自動的に判別して証券発行作業に対するオペレータの負担を軽減することができ、証券発行を効率的に実行することが可能となる。
【００１２】
【発明の実施の形態】
以下、図を参照して本発明の実施の形態を詳細に説明する。
【００１３】
〈第１の実施の形態〉
本第１の実施の形態では、本発明の証券発行装置として証券発行システム１００を適用して説明を行う。
まず、構成を説明する。
図１は、本第１の実施の形態における証券発行システム１００の全体構成を示す図である。
図１において、証券発行システム１００は、ホストコンピュータ１０、証券発行装置３０と、から構成され、ホストコンピュータ１０と証券発行装置３０とはケーブルＣを介して接続されている。なお、ホストコンピュータ１０に接続される証券発行装置３０の台数は１台に限らず複数であってもよい。
【００１４】
まず、図１を参照してホストコンピュータ１０を構成する各部について詳細に説明する。ホストコンピュータ１０は、表示装置１２、入力装置１３、伝送制御部１４、ＲＡＭ１５、記憶装置１６、Ｉ／Ｆ１７から構成され、各部はバス１８により接続される。
【００１５】
ＣＰＵ（Ｃｅｎｔｒａｌ　Ｐｒｏｃｅｓｓｉｎｇ　Ｕｎｉｔ）１１は、記憶装置１６に記憶されている各種制御プログラムを読み出してＲＡＭ１５に展開し、当該制御プログラムに従ってホストコンピュータ１０の各部を集中制御する。具体的には、ＣＰＵ１１は、記憶装置１６から用紙種類設定処理プログラム、第１の証券発行処理プログラムを読み出して後述する用紙種類設定処理（図８参照）、第１の証券発行処理（図９参照）を実行する。
【００１６】
ＣＰＵ１１は、用紙種類設定処理において、まず印刷対象の発行データから金融機関番号及び券種コードを抽出して、イメージコントロールファイル１７２の金融機関番号１７２ａ、券種コード１７２ｂの項目にそれぞれ設定する。次いで、用紙区分１７２ｃの項目に、券面要件を印刷する証券用紙の用紙区分に応じた用紙区分コードを設定し、汚れ確認１７２ｃ、ずれ確認１７２ｄの項目に、証券用紙の汚れ又はずれの確認の有無を示すフラグを設定し、用紙種類確認１７２ｆの項目に、用紙種類自動判別モードの設定の有無を示すフラグを設定する。次いで、識別コード１７２ｇの項目に、券面要件を印刷する証券用紙の用紙種類を指定する、ＯＣＲ文字の識別コード（識別情報）を設定する。すなわち、ＣＰＵ１１は、設定手段としての機能を有する。
【００１７】
ＣＰＵ１１は、第１の証券発行処理において、入力装置１３から証券発行指示を入力されると、証券発行装置３０に証券用紙の給紙装置を指示して印刷を開始させる。また、イメージコントロールファイル１７２の用紙種類確認１７２ｆを参照して用紙種類自動判別モードが設定されているか否かを判別し、設定されていない場合は印刷処理の継続を証券発行装置３０に指示する一方、設定されている場合は印刷中の券面イメージの読み取りを指示する。
【００１８】
そして、ＣＰＵ１１は、証券発行装置３０から券面イメージデータが入力されると、ＯＣＲ部分から識別コードを読み取って認識し、認識した識別コードと、イメージコントロールファイル１７２に設定されている識別コード１７２ｇとを比較して同一か否かを判別する。同一である場合は、用紙セットは正常であると判断して印刷処理の継続を証券発行装置３０に指示し、同一でない場合は、用紙セットは異常であると判断して印刷処理及び後処理の停止を指示する。次いで、用紙セットのエラーメッセージを表示装置１２に表示させてオペレータに報知する。すなわち、ＣＰＵ１１は、判別手段、制御手段としての機能を有する。
【００１９】
表示装置１２は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等により構成された表示ディスプレイを備え、ＣＰＵ１１の指示に従って入力される表示データ、例えば用紙セットのエラーメッセージ等を表示ディスプレイに表示する。すなわち、表示装置１２は、報知手段としての機能を有する。
【００２０】
入力装置１３は、カーソルキー、数字キー及び各種機能キー等を備えたキーボードを備え、オペレータにより押下されたキーに対応する押下信号をＣＰＵ１１に出力する。なお、マウスやタッチパネル等のポインティングディバイスを備えることとしてもよい。
【００２１】
伝送制御部１４は、モデム、ターミナルアダプタ、ルータ等によって構成され、ネットワーク上の外部機器と通信を行うための通信制御を行う。例えば、各金融機関のサーバとネットワークを介して通信を行い、証券発行の依頼情報を受信する。
【００２２】
ＲＡＭ（Ｒａｎｄｏｍ　Ａｃｃｅｓｓ　Ｍｅｍｏｒｙ）１５は、ＣＰＵ１１により実行される各種プログラム、入力データ及び処理結果の各種データを一時的に格納するワークエリアを有する。
【００２３】
記憶装置１６は、プログラムやデータ等が予め記憶されている記憶媒体（図示せず）を有しており、この記憶媒体は記憶装置１６に固定的に設けたもの、若しくは着脱自在に装着するものであり、この記憶媒体は、ホストコンピュータ１０に対応する各種制御プログラム、用紙種類設定処理プログラム、第１の証券発行処理プログラム及びこれらのプログラムで処理されたデータ等を記憶する。
【００２４】
記憶装置１６は、図２に示すように証券発行情報管理テーブル１６１を格納し、その内部に口座マスタファイル１６２、支店マスタファイル１６３、受付ファイル１６４、発行ファイル１６５、システムファイル１６６、発行券種設定ファイル１６７、発行制御ファイル１６８、印字制御ファイル１６９、印字パターン設定ファイル１７０、印刷フォームファイル１７１、イメージコントロールファイル１７２、書損ファイル１７３等を格納している。
【００２５】
口座マスタファイル１６２は、顧客から申請されて登録された当座口座に関わる情報を格納し、支店マスタファイル１６３は、予め登録されている証券発行元の金融機関の支店情報を格納し、受付ファイル１６４は、顧客から入力された証券発行に必要な依頼情報を格納し、発行ファイル１６５は、実際に証券用紙に券面要件を印刷するために必要な全ての情報を各ファイル１６２〜１６４から取得して作成された証券の発行データを格納している。この発行データには、証券発行するために必要な情報として、証券発行元の金融機関番号、券種コード、顧客名、口座番号、発行部数等の情報が含まれている。
【００２６】
また、システムファイル１６６は、証券発行に必要な各種機器、ファイル、各種設定についての情報を格納し、発行券種設定ファイル１６６は、証券発行元の各金融機関によって設定されている手形、小切手等の各券種に関する情報を格納する。発行制御ファイル１６８は、証券発行装置３０により証券発行する際に必要な各種設定情報を格納し、印字制御ファイル１６９は、証券の券面に印刷する項目の印字内容、位置、属性等の印字制御に関する情報を格納する。
【００２７】
印字パターン設定ファイル１７０は、券面に印刷するＭＩＣＲ（Ｍａｇｎｅｔｉｃ　ＩｎｋＣｈａｒａｃｔｅｒ　Ｒｅｃｏｇｎｉｔｉｏｎ：磁気インク文字認識）トナーと透明蛍光トナーとの印字パターンを設定したパターン情報を格納し、印刷フォームファイル１７１は、証券の券面に印刷するレイアウトを証券発行元毎の各種券種に応じて設定した印刷フォームを格納する。
【００２８】
イメージコントロールファイル１７２は、券面要件を印刷する証券用紙の用紙種類を指定する識別コードを格納している。具体的には、図３にそのデータ格納例を示すように、金融機関番号１７２ａ、券種コード１７２ｂ、用紙区分１７２ｃ、汚れ確認１７２ｄ、ずれ確認１７２ｅ、用紙種類確認１７２ｆ、識別コード１７２ｇの各項目を記憶している。
【００２９】
金融機関番号１７２ａは、証券発行元の各金融機関に対して登録されている４桁の番号を格納し、券種コード１７２ｂは証券用紙の券種に対応する券種コードを格納し、例えば券種が一般小切手であれば「０１」、自己宛小切手であれば「０２」、約束手形であれば「０３」等、予め各種券種に対して設定されている券種コードが格納される。用紙区分１７２ａは、証券用紙の区分コードを格納し、例えば証券用紙が本券用であれば「０」、表紙用であれば「１」、裏紙用であれば「２」、受領書用であれば「３」、その他の証券用紙であれば「４」のコードが格納される。
【００３０】
また、汚れ確認１７２ｄは、証券発行時に証券用紙の汚れを判別するのであれば「１」、判別しないのであれば「０」のフラグを格納し、ずれ確認１７２ｅは、証券発行時に証券用紙の位置のずれを判別するのであれば「１」、判別しないのであれば「０」のフラグを格納する。用紙種類確認１７２ｆは、印刷時に証券用紙の正誤を自動判別する用紙種類自動判別モードの設定情報を格納し、用紙種類自動判別モードを設定された場合は「１」、設定解除された場合は「０」のフラグが格納される。識別コード１７２ｇは、各金融機関の各券種に応じて証券用紙に予め設けられているＯＣＲ（Ｏｐｔｉｃａｌ　Ｃｈａｒａｃｔｅｒ　Ｒｅｃｏｇｎｉｔｉｏｎ）による識別コード（数字）を格納する。
【００３１】
書損ファイル１７３は、証券発行の際にジャム等により発生した不良券面の数量や当日の発行量、使用量等の情報を格納している。
【００３２】
Ｉ／Ｆ１７は、ケーブルＣを介してホストコンピュータ１０に接続された証券発行装置３０と、データを入出力するためのインターフェイスである。
【００３３】
次に、図４を参照して、証券発行装置３０について詳細に説明する。
図４は、証券発行装置３０の機能的構成を示すブロック図である。図４において、証券発行装置３０は、メイン制御部３０ａ、入力装置３８、ＨＤＤ３９、表示装置４０、印刷装置４１、後処理装置４２から構成される。
【００３４】
また、メイン制御部３０ａは、入力制御部３２、ＲＡＭ３３、外部記憶制御部３４、Ｉ／Ｆ３５、表示制御部３６、証券印刷制御部３７から構成され、各部はシステムバス４３により接続されている。
【００３５】
なお、入力制御部３２には入力装置３８が、外部記憶制御部３４にはＨＤＤ３９が、表示制御部３６には表示装置４０が、証券印刷制御部３７には印刷装置４１が接続されている。
【００３６】
以下に、各構成部についての詳細な説明をするが、図１に示したホストコンピュータ１０と同一の機能を有する構成部、つまり入力装置３８、表示装置４０については、その詳細な説明を省略する。
【００３７】
ＣＰＵ３１は、ホストコンピュータ１０の指示に従って証券発行装置３０の各部、印刷装置４１、後処理装置４２を集中制御し、証券の印刷及び後処理動作を実行させる。
【００３８】
入力制御部３２は、入力装置３８とメイン制御部３０ａとを接続するためのインターフェイスであり、入力装置３８から入力された押下信号をメイン制御部３０ａのＣＰＵ３１に出力する。
【００３９】
ＲＡＭ３３は、ＣＰＵ３１により実行される各種処理の処理結果及び入力データ等の各種データを一時的に格納するワークエリアを有する。
【００４０】
外部記憶制御部３４は、ＣＰＵ３１の指示に従って、外部記憶装置であるＨＤＤ（Ｈａｒｄ　Ｄｉｓｋ　Ｄｒｉｖｅ）３９へのデータの保存及び読み出しを制御する。例えば、ＣＰＵ３１から保存指示を入力されると、ＨＤＤ３９内への空き容量を判定してこの空き容量の領域内に入力されたデータを保存し、ＣＰＵ３１から読み出し指示を入力されると、ＨＤＤ３９から指定されたデータを読み出して指定された各部へ出力する。
【００４１】
Ｉ／Ｆ３５は、ケーブルＣを介して証券発行装置３０に接続されたホストコンピュータ１０と、データを入出力するためのインターフェイスである。
【００４２】
表示制御部３６は、ＣＰＵ３１の指示に従って、表示装置４０に表示データを表示させる際の表示制御を行う。
【００４３】
証券印刷制御部３７は、ＣＰＵ３１の指示に従って、印刷装置４１の駆動を制御する。また、証券印刷制御部３７は、証券用紙を搬送するための搬送機構を制御し、指定された給紙装置からセットされた証券用紙を搬送して印刷装置４１に供給する。
【００４４】
印刷装置４１は、証券用紙を収納する給紙装置（図示せず）を有し、証券印刷制御部３７による駆動制御に従って、指定された証券用紙に発行データに基づいて券面要件を印刷し、印刷した券面を後処理装置４２に出力する。なお、印刷装置４１の印刷方式としては、レーザ方式、インクジェット方式、ドットインパクト方式、タンデム方式、電子写真方式等の多数の方式が存在するが、これらのうち何れの方式を適用してもよい。すなわち、印刷装置４１は、印刷手段としての機能を有する。
【００４５】
後処理装置４２は、デカーラ機構部４２ａ、スリッタ機構部４２ｂ、イメージキャプチャ部４２ｃ、搬送機構部４２ｄ、ＭＩＣＲリーダ機構部４２ｅ、スタッカ機構部４２ｆを有し、印刷された証券を製本可能な状態に仕上げるための各種後処理を実行する。すわなち、後処理装置４２は、後処理手段としての機能を有する。
【００４６】
デカーラ機構部４２ａは、印刷時に湾曲した券面を矯正する機構を有し、スリッタ機構部４２ｂは、印刷の効率化を図るために２面分を１枚の証券用紙に収めた２面タイプの証券用紙に券面要件が印刷された後、１面づつの単券にカットする機構を有している。イメージキャプチャ部４２ｃは、光学的なスキャナ機構を有し、券面に印刷されているＯＣＲ文字の識別コードを読み取る。すなわち、イメージキャプチャ部４２ｃは、読取手段としての機能を有する。
【００４７】
搬送機構部４２ｄは、ＣＰＵ３１の指示に従って後処理装置４２に入力された証券を後処理装置４２の各部に搬送する機構を有し、ＭＩＣＲリーダ機構部４２ｅは、券面に印刷されているＭＩＣＲ文字コードを読み取る磁気的なスキャナ機構を有している。また、スタッカ機構部４２ｆは、後処理装置４２による後処理を終了した券面を収納する機構を有する。
【００４８】
ここで、証券発行装置３０により発行される証券について詳細に説明する。証券は通常、証券を複数枚まとめて冊子に製本した形態で顧客に提供することが多い。この冊子は、発行元の金融機関によっても異なるが、例えば表紙、複数枚の証券（本券）、受領書（証券が残り少ないことを通知すると共に新たな証券作成の依頼書を兼ねるもの）、１枚の本券、裏紙の順に綴じられている。表紙、裏紙には白地でミシン目が無い証券用紙が用いられ、受領書には、白地でミシン目が有る証券用紙が用いられる。また、本券には地紋と呼ばれる発行元の金融機関に固有の紋様が印刷された証券用紙が用いられ、ミシン目が入れられている。
【００４９】
図５、図６を参照して本券用の証券用紙について説明する。図５（ａ）は、一般小切手用の１面タイプの証券用紙例を示す図であり、図５（ｂ）は、自己宛小切手用の１面タイプの証券用紙例を示す図である。図５（ａ）、（ｂ）において、本券は地紋が印刷されている本券部分と白地の控え部分とから構成され、各部分の領域には切り取り可能にミシン目が入れられている。また、本発明において、控え部分の左下には証券用紙種類に固有の数字からなる識別コードがＯＣＲ文字で印刷されている。
【００５０】
図６は、一般小切手用の２面タイプの証券用紙例を示す図である。図６においても同様に、控え部分の２面の境界線上にまたがって用紙種類を示す識別コードがＯＣＲ文字で印刷されている。これらの識別コードは、証券用紙が作成された際に印刷業者によって印刷されるものであり、記載内容が規定される本券部分ではない控え部分に印刷され、控え部分の中でも製本時にのりしろ等により隠蔽される等の影響が無い部分に印刷される。
【００５１】
本第１の実施の形態では、識別コードは３桁の数字から構成され、最上位の数字は小切手か手形か（例えば小切手は「１」、手形は「２」）を示し、次の２桁の数字（例えば「０１」）は用紙種類を示している。用紙種類を示す２桁の数字は発行元の金融機関と券種に応じて設定されている固有の数字であり、００〜９９までの１００種の用紙種類を設定することが可能となる。例えば、「○銀行」の一般小切手用の証券用紙に対応する識別コードは、上１桁には小切手に対応する「１」が設定され、下２桁には「○銀行」の「一般小切手」の用紙種類に対して予め設定されている「０１」が設定される。なお、識別コードの構成は上述した構成には限らず、例えば数字の桁数を増減したり、数字ではなく文字等により構成することとしてもよい。
【００５２】
次に、本第１の実施の形態の動作を説明する。
図７は、証券発行システム１００における証券の依頼から発行までの全体的な流れを説明する図である。
【００５３】
図７において、まず顧客が、例えば顧客端末から金融機関のサーバが開設している証券発注専用のホームページにアクセスし、顧客名、顧客の当座口座番号、依頼する券種、数量等の証券発行に必要な依頼情報を入力して証券発行を依頼する。または、依頼情報を記憶しているＦＤ（フロッピー（登録商標）ディスク）やＭＴ（磁気テープ）等の記憶媒体をサーバに読み込ませて依頼情報を入力することとしてもよい。金融機関のサーバは受付ファイルに入力された依頼情報を格納し、格納した依頼情報を指示に応じてホストコンピュータ１０にネットワークを介して送信する。
【００５４】
ホストコンピュータ１０は、サーバから伝送制御部１４を介して顧客からの依頼情報を受信して依頼を受け付け、受信した依頼情報を受付ファイル１６４に格納する。または、営業店からホストコンピュータ１０に直接依頼情報を入力されると、同様に受付ファイル１６４に格納し、依頼に関する情報を一覧表示した依頼一覧リストを作成する（ステップＡ１）。
【００５５】
次いで、ホストコンピュータ１０は、記憶装置１６に格納されている各種マスタファイルや口座マスタファイル１６２を参照して、受付ファイル１６４に基づく発行データを作成し、発行ファイル１６５に格納する。このとき、発行データを作成するための情報が足りない等、エラーが発生した場合にはそのエラーに関する情報を一覧表示したエラーリストを作成する（ステップＡ２）。
【００５６】
次いで、ホストコンピュータ１０は、発行ファイル１６５に格納されている発行データを読み出して、発行する券種、数量に応じた適切な証券発行装置３０に各発行データを割り振り、発行データの割り振り先を一覧表示した割り振りリストを作成する（ステップＡ３）。このとき、発行データ取り消しの指示が入力装置１３から入力された場合は、発行ファイル１６５から指定された発行データを削除する。
【００５７】
発行データの割り振り処理を終了すると、ホストコンピュータ１０は、各証券発行装置３０に発行データに基づく印刷実行を指示し、証券発行装置３０はホストコンピュータ１０から入力された発行データに基づいて、証券用紙に券面要件を印刷し、手形・小切手の証券を発行する（ステップＡ４）。
【００５８】
ここで、手形・小切手の証券発行時に行われる臨時発行処理について説明する。臨時発行処理において、早急に追加したい割り込み発行データが作成された場合は、その割り込み発行データを記憶装置１６の割り込み発行ファイルに格納し、証券発行時にその割り込みデータを読み出して印刷を実行する。また、発行データ作成時にエラー判定された発行データを修正したエラー発行データが作成された場合には、記憶装置１６のエラー発行ファイルにそのエラー発行データを格納し、証券発行時にエラー発行データを読み出して印刷を実行する。さらに、証券の見本券面の見本発行データが作成された場合は、その見本発行データを記憶装置１６の見本発行ファイルに格納し、証券発行時に見本発行データを読み出して印刷を実行する。
【００５９】
このようにして手形・小切手の証券を発行すると、その券面を綴じて背貼りする等して製本する製本処理に移行する（ステップＡ５）。
【００６０】
次に、上述した手形・小切手の証券発行時に実行される用紙種類設定処理、第１の証券発行処理について詳細に説明する。まず、第１の証券発行処理に先だって、発行データに基づいて券面要件を印刷する証券用紙の用紙種類を指定する識別コードをイメージコントロールファイル１７２に設定する用紙種類設定処理について説明する。
【００６１】
図８は、用紙種類設定処理を説明するフローチャートである。
図８において、ＣＰＵ１１は、まず発行ファイル１６５から印刷対象の発行データを読み出し、この印刷対象の発行データから金融機関番号及び券種コードを抽出して、イメージコントロールファイル１７２の金融機関番号１７２ａの項目に、抽出した金融機関番号を設定し、券種コード１７２ｂの項目に、抽出した券種コードを設定する（ステップＢ１）。
【００６２】
次いで、ＣＰＵ１１は、発行データに対応する証券用紙の用紙区分に応じたコード、例えば証券用紙が本券用の証券用紙である場合は「０」を、表紙である場合は「１」を、裏紙である場合は「２」を、受領書である場合は「３」を、その他の証券用紙である場合は「４」のコードを、イメージコントロールファイル１７２の用紙区分１７２ｃの項目に設定する（ステップＢ２）。
【００６３】
次いで、証券発行時に証券用紙の汚れ又はずれの検出をオペレータにより指示されている場合は、イメージコントロールファイル１７２の汚れ確認１７２ｄ、ずれ確認１７２ｅの項目に「１」を設定し、検出を指示されていない場合はイメージコントロールファイル１７２の汚れ確認１７２ｄ、ずれ確認１７２ｅの項目に「０」のフラグを設定する（ステップＢ３）。
【００６４】
次いで、用紙種類自動判別モードの設定をオペレータから指示されている場合は、イメージコントロールファイル１７２の用紙種類確認１７２ｆの項目に「１」を設定し、用紙種類自動判別モードの設定解除を指示されている場合は、イメージコントロールファイル１７２の用紙種類確認１７２ｆの項目に「０」のフラグを設定する（ステップＢ４）。
【００６５】
次いで、ＣＰＵ１１は、発行データに対応する証券用紙の用紙種類を指定する識別コードをＯＣＲ文字（数字）で、イメージコントロールファイル１７２の識別コード１７２ｇの項目に設定し（ステップＢ５）、用紙種類設定処理を終了する。
【００６６】
次に、用紙種類設定処理を終了後に実行される第１の証券発行処理について詳細に説明する。
図９は、証券発行システム１００により実行される第１の証券発行処理を説明するフローチャートである。説明の前提として、ホストコンピュータ１０は証券発行の依頼を受けて複数の発行データを作成し、これらの発行データを発行ファイル１６５に格納しており、オペレータは、券面要件を印刷する証券用紙（ＯＣＲ文字の識別コード印刷済みのもの）を印刷装置４１内の各給紙装置にセットして発行開始を指示したものとする。
【００６７】
図９において、ホストコンピュータ１０は、発行ファイル１６５の先頭から印刷対象の発行データを読み出して、証券発行装置３０に証券用紙がセットされている給紙装置をコマンドにより指示して発行データに基づく印刷を指示する。証券発行装置３０は、ホストコンピュータ１０により指示された給紙装置から証券用紙を給紙して、この証券用紙に印刷装置４１により発行データに基づいて券面要件の印刷を実行する（ステップＳ１）。そして、印刷した券面を排出し、後処理装置４２に出力する（ステップＳ２）。
【００６８】
次いで、ホストコンピュータ１０は、イメージコントロールファイル１７２の用紙種類確認１７２ｆを参照して用紙種類自動判別モードが設定されているか否かを判別し（ステップＳ３）、設定されていない場合はそのまま通常の印刷処理を継続するよう印刷装置４１に指示し（ステップＳ７）、ステップＳ１に戻る。
【００６９】
一方、用紙種類自動判別モードが設定されている場合は、ホストコンピュータ１０は、印刷中の券面をイメージ読み取りするよう証券発行装置３０に指示し、証券発行装置３０は後処理装置４２のイメージキャプチャ部４２ｃにより券面イメージを読み取り、その読み取ったイメージデータをホストコンピュータ１０に出力する（ステップＳ４）。ホストコンピュータ１０は、証券発行装置３０から入力されたイメージデータからＯＣＲ文字部分を読み取って識別コードを認識し（ステップＳ５）、認識した識別コードと、イメージコントロールファイル１７２に設定された識別コード１７２ｇとを比較して、同一の識別コードであるか否か、つまり印刷装置４１にセットされた証券用紙の用紙種類が指定された用紙種類と一致するか否かを判別する（ステップＳ６）。
【００７０】
認識した識別コードと、イメージコントロールファイル１７２の識別コード１７２ｇとが同一の識別コードである場合、ホストコンピュータ１０は、セットされた証券用紙の用紙種類は指定された用紙種類と一致し、用紙セットは正常であると判断して、証券発行装置３０にそのまま通常の印刷処理の継続を指示し（ステップＳ７）、ステップＳ１に戻る。一方、同一の識別コードではない場合、ホストコンピュータ１０は、セットされた証券用紙の用紙種類は指定された用紙種類と一致せず、用紙セットは異常であると判断して、証券発行装置３０に印刷装置４１による印刷処理を停止するよう指示し（ステップＳ８）、さらに後処理装置４２により後処理中の券面を処理後、後処理装置４２による後処理を停止するよう指示する（ステップＳ９）。
【００７１】
証券発行装置３０は、ホストコンピュータ１０の指示に応じて印刷装置４１による印刷処理を停止し、後処理装置４２で後処理途中の券面を処理させた後、未処理の券面に対する後処理を停止する。
【００７２】
次いで、ホストコンピュータ１０は、用紙セットのエラーメッセージを表示装置１２に表示させる、またはスピーカ等の報知手段によりブザー音を出力させる等して、用紙セットエラーをオペレータに報知して証券用紙を交換するよう促し（ステップＳ１０）、第１の証券発行処理を終了する。
【００７３】
以上のように、第１の実施の形態における証券発行システム１００では、予め証券用紙にその用紙種類に固有の識別コードを設けておいて、証券発行前に、イメージコントロールファイル１７２に券面要件を印刷する証券用紙の用紙種類を指定する識別コードを設定し、証券発行の際には、印刷中の券面からＯＣＲ文字の識別コードを読み取って認識し、認識した識別コードとイメージコントロールファイル１７２に設定した識別コード１７２ｇとを比較し、同一である場合はそのまま印刷処理を継続する一方、同一でない場合は印刷及び後処理を停止して用紙セットエラーをユーザに報知するので、証券用紙の正誤を自動的に判別してオペレータの負担を軽減することができ、証券発行を効率的に実行することが可能となる。
【００７４】
また、用紙種類自動判別モードの設定はイメージコントロールファイル１７２において、容易に設定したり、設定解除したりすることができるので、操作性が向上する。
【００７５】
〈第２の実施の形態〉
次に、本発明の第２の実施の形態を適用した証券発行システム２００を説明する。第２の実施の形態における証券発行システム２００の全体構成は、第１の実施の形態における証券発行システム１００と同一であるので、各構成装置には同一の符号を付して説明する。また、証券発行装置３０については、第１の実施の形態で説明した証券発行装置３０と同一の構成及び動作であるので、その図示及び詳細な説明を省略する。
【００７６】
まず、構成を説明する。
図１０は、第２の実施の形態における証券発行システム２００の全体構成を示す図である。
図１０において、証券発行システム２００は、ホストコンピュータ１０、証券発行装置３０と、から構成され、ホストコンピュータ１０と証券発行装置３０とはケーブルＣを介して接続されている。なお、ホストコンピュータ１０に接続される証券発行装置３０の台数は複数であってもよい。
【００７７】
以下に図１０を参照してホストコンピュータ１０について説明するが、第１の実施の形態で示したホストコンピュータ１０の要部構成と同一の要部構成には同一の符号を付し、その詳細な説明は省略することとする。
図１０において、ホストコンピュータ１０は、表示装置１２、入力装置１３、伝送制御部１４、ＲＡＭ１５、記憶装置１６、Ｉ／Ｆ１７から構成され、各部はバス１８により接続される。
【００７８】
ＣＰＵ１１は、記憶装置１６に格納される用紙種類設定処理プログラム、第２の証券発行処理プログラムを読み出して、後述する第２の証券発行処理（図１１参照）を実行する。
【００７９】
ＣＰＵ１１は、第２の証券発行処理において、入力装置１３から証券発行指示を入力されると、証券発行装置３０に給紙開始を指示し、発行ファイル１６５の先頭の発行データを読み出してＲＡＭ１５内の発行データメモリ１５１に一時記憶させる。次いで、印刷装置４１にセットされた証券用紙の有無を検出し、証券用紙が有る場合はその証券用紙の券面イメージの読み取りを証券発行装置３０に指示する。次いで、証券発行装置３０から券面イメージデータを入力されると、ＯＣＲ文字部分から識別コードを認識し、認識した識別コードと、イメージコントロールファイル１７２に設定した識別コード１７２ｇとを比較して同一か否かを判別する。
【００８０】
同一である場合は、証券発行装置３０に発行データメモリ１５１に格納した発行データの印刷を指示し、同一でない場合は、認識した識別コードが示す用紙種類に対応する発行データを発行ファイル１６５から検索し、検索された場合はその発行データを発行データメモリ１６５に一時記憶させ、証券発行装置３０にこの発行データに基づく印刷を指示する。また、認識した識別コードに対応する発行データが発行ファイル１６５に格納されていない場合は、証券発行装置３０に印刷の停止を指示し、用紙セットのエラーメッセージを表示装置１２に表示させて用紙セットエラーをオペレータに報知する。すなわち、ＣＰＵ１１は、判別手段、制御手段としての機能を有する。
【００８１】
ＲＡＭ１５は、ＣＰＵ１１の指示に応じて発行データを一時的に記憶する発行データメモリ１５１を有する。
【００８２】
記憶装置１６は、プログラムやデータ等が予め記憶されている記憶媒体（図示せず）を有しており、この記憶媒体は記憶装置１６に固定的に設けたもの、若しくは着脱自在に装着するものであり、この記憶媒体は、ホストコンピュータ１０に対応する各種制御プログラム、第２の証券発行処理プログラム及びこれらのプログラムで処理されたデータ等を記憶する。
【００８３】
次に、本第２の実施の形態における動作を説明する。
なお、第２の実施の形態において、第２の証券発行処理で用いられる証券用紙は第１の実施の形態で説明した第１の証券発行処理で用いられる証券用紙と同一であり、予め用紙種類に固有の識別コードがＯＣＲ文字で印刷されているものとする。
【００８４】
また、証券発行システム２００による証券の依頼から発行までの流れは図７に示した流れと同一であり、証券発行システム２００における第２の証券発行処理に先だって実行される用紙種類設定処理は、図８に示すフローチャートと同一であるので、その動作説明は省略する。
【００８５】
次に、図１１に示すフローチャートを参照して、用紙種類設定処理後に証券発行システム２００により実行される第２の証券発行処理を説明する。説明の前提として、ホストコンピュータ１０は、証券発行の依頼を受けて複数の証券の発行データを作成し、これらの発行データを発行ファイル１６５に格納しているものとする。
【００８６】
まずオペレータにより、券面要件を印刷する証券用紙（ＯＣＲ文字の識別コード印刷済みのもの）が印刷装置４１内の各給紙装置にセットされ、入力装置１２から発行開始を指示されると、ホストコンピュータ１０は証券発行装置３０に給紙開始を指示する（ステップＳ１０１）。
【００８７】
次いで、ホストコンピュータ１０は、発行ファイル１６５の先頭から印刷対象の発行データを読み出し、ＲＡＭ１５内の発行データメモリ１５１に一時記憶させる（ステップＳ１０２）。次いで、印刷装置４１により印字位置における証券用紙の有無を検出させて証券用紙がセットされているか否かを判別する（ステップＳ１０３）。証券用紙が検出されると、ホストコンピュータ１０は、その証券用紙の券面イメージの読み取りを証券発行装置３０に指示し、証券発行装置３０はその証券用紙を印刷装置４１から後処理装置４２に搬送させてイメージキャプチャ部４２ｃによりその券面イメージを読み取り（ステップＳ１０４）、読み取ったイメージデータをホストコンピュータ１０に出力する。
【００８８】
ホストコンピュータ１０は、証券発行装置３０により入力されたイメージデータからＯＣＲ文字の識別コードを認識すると（ステップＳ１０６）、イメージコントロールファイル１７２の識別コード１７２ｇを読み出して（ステップＳ１０６）、認識した識別コードとイメージコントロールファイル１７２に設定された識別コード１７２ｇとを比較する（ステップＳ１０７）。
【００８９】
そして、その比較結果から、認識した識別コードとイメージコントロールファイル１７２の識別コード１７２ｇとが同一の識別コードであるか否かを判別し（ステップＳ１０８）、同一の識別コードである場合はセットされた証券用紙の用紙種類と指定された用紙種類とは一致しており、用紙セットは正常であると判断して、ステップＳ１１２に移行し、発行データメモリ１５１に一時記憶している発行データの印刷処理を実行する。一方、同一の識別コードではない場合は認識した識別コードが示す用紙種類に対応する発行データを発行ファイル１６５から検索する（ステップＳ１０９）。
【００９０】
認識した識別コードが示す用紙種類に対応する発行データが発行ファイル１６５に有る場合は、その発行データを発行ファイル１６５から読み出して発行データメモリ１５１に一時的に記憶させ（ステップＳ１１１）、この発行データに基づく印刷処理を実行する（ステップＳ１１２）。
【００９１】
一方、認識した識別コードが示す用紙種類に対応する発行データが発行ファイル１６５に無い場合、ホストコンピュータ１０は証券発行装置３０に印刷停止を指示して印刷を行わせず（ステップＳ１１３）、用紙セットのエラーメッセージを表示装置１２に表示させる、またはスピーカ等の報知手段によりブザー音を出力させる等して、用紙セットエラーをオペレータに報知し、証券用紙を交換するよう促して（ステップＳ１１４）、第２の証券発行処理を終了する。
【００９２】
以上のように、第２の実施の形態の証券システム２００では、予め証券用紙にその用紙種類に固有の識別コードを設けておいて、証券発行前に、イメージコントロールファイル１７２に券面要件を印刷する証券用紙の用紙種類を指定する識別コードを設定し、証券発行の際には、セットされた証券用紙の券面からＯＣＲ文字の識別コードを印刷前に読み取って認識し、イメージコントロールファイル１７２に設定されている識別コード１７２ｇと、認識した識別コードとを比較して、同一の識別コードであれば印刷を実行するので、セットされた証券用紙の正誤を自動的に判別してオペレータの負担を軽減することができ、効率的な証券発行を実行することが可能となる。
【００９３】
また、オペレータが誤った証券用紙をセットしてしまった場合でも、その誤ってセットされた証券用紙の用紙種類に対応する発行データを発行ファイル１６５から自動的に検索して印刷を実行するので、証券用紙を交換して再セットする作業を省略することができ、オペレータの証券発行作業に対する負担を軽減することができる。
【００９４】
さらに、誤ってセットされた証券用紙の用紙種類に対応する発行データが発行ファイル１６５から検索されなかった場合は、印刷を行わずに用紙セットのエラー報知を行うので、再発行に要する時間及びコストを削減できる。
【００９５】
なお、本第１及び第２の実施の形態における記述内容は、本発明の証券発行装置を適用した証券発行システム１００、２００の好適な一例であり、これに限定されるものではない。
【００９６】
例えば、上述した説明では、予め証券用紙に設ける識別コードをＯＣＲ文字で印刷することとしたが、識別コードのイメージ読み取りの結果を判別することが可能であれば例えばバーコード等であってもよく、特にＯＣＲ文字に限定しない。
【００９７】
その他、本第１の及び第２の実施の形態における証券発行システム１００、２００の細部構成及び細部動作に関しても、本発明の趣旨を逸脱することのない範囲で適宜変更可能である。
【００９８】
【発明の効果】
請求項１に記載の発明によれば、券面要件を証券用紙に印刷した際に、証券用紙から読み取った識別情報と、設定された識別情報とを比較して、セットされた証券用紙の用紙種類が指定された用紙種類か否かを判別し、指定された用紙種類ではないと判別された場合は、用紙セットエラーを報知するので、証券用紙の正誤を自動的に判別してオペレータの負担を軽減することができ、証券発行を効率的に実行することが可能となる。
【００９９】
請求項５に記載の発明によれば、券面要件を証券用紙に印刷する際に、証券用紙から読み取った識別情報と、設定された識別情報とを比較し、セットされた証券用紙の用紙種類が指定された用紙種類か否かを判別し、指定された用紙種類であると判別された場合は印刷を行わせるので、証券用紙の正誤を自動的に判別してオペレータの負担を軽減することができ、証券発行を効率的に実行することが可能となる。
【図面の簡単な説明】
【図１】本発明を適用した第１の実施の形態における証券発行システム１００の全体構成を示す図である。
【図２】図１の記憶装置１６の証券発行情報管理テーブル１６１におけるファイル構成例を示す図である。
【図３】図２のイメージコントロールファイル１７２のデータ格納例を示す図である。
【図４】図１の証券発行装置３０の機能的構成を示すブロック図である。
【図５】本発明の証券発行システム１００で用いられる１面タイプの証券用証券用紙を説明する図であり、（ａ）は一般小切手用の証券用紙例であり、（ｂ）は自己宛小切手用の証券用紙例である。
【図６】本発明の証券発行システム１００で用いられる２面付タイプの一般小切手用の証券用紙例を示す図である。
【図７】証券発行システム１００における証券の依頼から発行までの全体的な流れを説明する図である。
【図８】ホストコンピュータ１０により実行される用紙種類設定処理を説明するためのフローチャートである。
【図９】証券発行システム１００により実行される第１の証券発行処理を説明するためのフローチャートである。
【図１０】本発明を適用した第２の実施の形態における証券発行システム２００の全体構成を示す図である。
【図１１】証券発行システム２００により実行される第２の証券発行処理を説明するためのフローチャートである。
【符号の説明】
１０　　ホストコンピュータ
１１　　ＣＰＵ
１２　　表示装置
１３　　入力装置
１４　　伝送制御部
１５　　ＲＡＭ
１６　　記憶装置
１７　　Ｉ／Ｆ
３０　　証券発行装置
４１　　印刷装置
４２　　後処理装置
４２ｃ　　イメージキャプチャ部
１００　　第１の実施の形態における証券発行システム
２００　　第２の実施の形態における証券発行システム
【図１】
2004094874.tif 000003
【図２】
2004094874.tif 000004
【図３】
2004094874.tif 000005
【図４】
2004094874.tif 000006
【図５】
2004094874.tif 000007
【図６】
2004094874.tif 000008
【図７】
2004094874.tif 000009
【図８】
2004094874.tif 000010
【図９】
2004094874.tif 000011
【図１０】
2004094874.tif 000012
【図１１】
2004094874.tif 000013